(57)【特許請求の範囲】
【請求項１】
運搬用容器とスタッキング容器との組み合わせであって、
前記運搬用容器は、
容器本体２１と、
前記容器本体２１の開口縁に設けられたフランジ部７と、
前記容器本体２１の側壁部３、４、５、６の外面下部に形成された支脚部８、９、１２、１４と、
前記容器本体２１の側壁部３、４、５、６の内面上部に、前記支脚部８、９、１２、１４とそれぞれ点対称位置に形成されたポケット部１０、１１、１３、１５と、
前記フランジ部７の内周縁側に、フランジ部７の全周に亘って、矩形枠状に連続して形成され、立上り面２２ｂと平坦面２２ａとからなる横断面鉤状の一段下がった段部２２とを備え、
前記容器本体２１を一方の向きで重ね合わせた時に、上位の容器本体２１の支脚部８、９、１２、１４が、下位の容器本体２１のフランジ部７の段部の平坦面２２ａ上に位置するとともに、
前記立上り面２２ｂが、支脚部８、９、１２、１４の外周囲を囲繞して、スタッキング状態となるように構成されるとともに、
前記容器本体２１を他方の向きで重ね合わせた時に、上位の容器本体２１の支脚部８、９、１２、１４が、下位の容器本体２１のポケット部１０、１１、１３、１５内に没入して、ネスティング状態となるように構成した運搬用容器であり、
前記スタッキング容器は、
開口端側に上部フランジ部３１を、底部側に下部フランジ部３２をそれぞれ有し、
その側壁部の勾配が、前記運搬用容器の容器本体２１の側壁部部３、４、５、６の勾配と相違し、
前記運搬用容器の容器本体２１の下端形状とほぼ同じ形状を有し、
下部外寸Ｃ’が、前記運搬用容器の容器本体２１の下部外寸Ｃに等しく設定され、
重ね合わせた時に、上方に位置するスタッキング容器３０の下部フランジ部３２の下部２２ｃを、下方に位置するスタッキング容器３０の上端開口部内に入り込ませ、下位のスタッキング容器３０の上部フランジ部３１の上に、上位のスタッキング容器３０の下部フランジ部３２を位置させることによって、スタッキング状態とするように構成したスタッキング容器３０であり、
前記運搬用容器の容器本体２１上に、スタッキング容器３０を積み重ねる時に、運搬用容器の容器本体２１の上端開口部内に、スタッキング容器３０の下部が嵌入して、
運搬用容器の容器本体２１のフランジ部７に設けた段部２２の平坦面２２ａ上に、スタッキング容器３０の下部フランジ部３２が位置するとともに、
前記スタッキング容器３０の下部フランジ部３２の外周囲を段部２２の立上り面で囲繞するように構成したことを特徴とする運搬用容器とスタッキング容器との組み合わせ。
【発明の詳細な説明】
【０００１】
【産業上の利用分野】
本発明は、運搬用容器に関し、更に詳しくは、複数の容器を上下方向に積み重ねるのに際し、内部に内容物を収容した状態では背を高くした状態で、空となった状態では背を低くした状態で、それぞれ多段に積み重ねることができるようにした運搬用容器に関する。
【０００２】
【従来の技術】
食品を始めとし、商品の保管あるいは運搬用として広く利用されている合成樹脂製の運搬用容器（コンテナ）の中には、内部に内容物を収容して多段に積み重ねる場合に、背を高くした状態で積み重ねる（以下、スタッキングという）とともに、内部が空となった時には、背を低くした状態で積み重ねる（以下、ネスティングという）ようにしたものがある。
【０００３】
この種の運搬用容器は、一般にＳＮコンテナと称されており、内部に内容物を収容していない不使用時に嵩張らないなどの利点がある。
この運搬用容器（ＳＮコンテナ）として、出願人は、先に実願平２−４９８１９号（実開平４−１００１５号）として、図６に示すようなものを提案した。
【０００４】
即ち、運搬用容器の容器本体１は、底板部２及び該底板部２の周縁部から立設される四側壁部３，４，５，６とから上方に開口した箱型に形成され、前記各側壁部３，４，５，６は、上方の自由端に向かって外方に徐々に拡がるよう形成されており、それら開口縁には、矩形枠状に連続したフランジ部７が一体に連接されている。
【０００５】
長手側の一方の側壁部４の外面下部には、支脚部８，９が突出して形成されている。これらの支脚部８，９は、異なる形状に、即ち、支脚部９の幅の方が支脚部８の幅よりも幅広に形成されている。また、この側壁部４と相対する側壁部３の内面上部には、底板部２の中央の点Ｏを中心として前記支脚部８，９と点対称の位置に、それぞれ支脚部８，９を嵌入することができるポケット部１０，１１が各々形成されている。
【０００６】
長手側の他方の側壁部３の外面には、前記側壁部４の場合と同様に支脚部８，９が形成され、側壁部４の内面上部には、前記側壁部３と同様にポケット部１０，１１がそれぞれ形成されている。
【０００７】
一方、短手側の側壁部５の外面下部には、支脚部１２，１２が突出して形成されている。また、この側壁部５と相対する他方の側壁部６の内面上部には、底板部２の中央の点Ｏを中心として支脚部１２，１２と点対称の位置に、それぞれ支脚部１２，１２を嵌入することができるポケット部１３，１３が各々形成されている。
【０００８】
更に、短手側の他方の側壁部６の外面下部には、前記側壁部５の場合と同様に、支脚部１４，１４が形成され、この側壁部６と相対する前記側壁部５の内面上部には、底板部２の中央の点Ｏを中心として支脚部１４，１４と点対称の位置に、それぞれ支脚部１４，１４を嵌入することができるポケット部１５，１５が各々形成されている。
【０００９】
なお、側壁部５における支脚部１２，１２間の間隔の方が、側壁部６における支脚部１４，１４間の間隔より広くなるようなされている。
これにより、２つの容器本体１を同一の向きで上下方向に重ね合せると、上方に位置する容器本体１の各側壁部３，４，５，６の外面下部に形成した各支脚部８，９，１２，１４は、下方に位置する容器本体１の上端のフランジ部７の上に位置して、スタッキング状態となる。
【００１０】
一方、２つの容器本体１を互いに異なる向きに、すなわち一方の容器本体１を他方の容器本体１に対して１８０°回転させた状態で上下方向に重ね合せると、上方に位置する容器本体１の各側壁部３，４，５，６の外面下部に形成した各支脚部８，９，１２，１４は、下方に位置する容器本体１の各側壁部３，４，５，６の内面上部に形成した各ポケット部１０，１１，１３，１５の中に、すなわち支脚部８はポケット部１０内に、支脚部９はポケット部１１内に、支脚部１２はポケット部１３内に，支脚部１４はポケット部１５内にそれぞれ没入して、ネスティング状態となるようになっている。
【００１１】
【発明が解決しようとする課題】
しかしながら、上記実開平４−１００１５号公報に記載のものを含め一般のＳＮコンテナでは、これを従来から一般に使用されているスタッキングタイプの容器（スタッキング容器）と組み合わせて使用しようとすると、場合によっては、スタッキングが不可能であったり、大きなガタが発生して積み重ねが非常に不安定となってしまうといった問題点があった。
【００１２】
即ち、図７に示すように、ＳＮコンテナ（同図（ａ））とスタッキング容器（同図（ｂ））とを比較すると、ＳＮコンテナにあっては、空箱をネスティングできるという機能を有する反面、安定してネスティングを行えるようにするため、側壁部の勾配がスタッキング容器の側壁部の勾配より大きく設定されている。つまり、側壁部におけるＳＮコンテナの上部内寸Ａと下部内寸Ｂとの差ａ（＝Ａ−Ｂ）は、スタッキング容器の上部内寸Ａ′と下部内寸Ｂ′との差ａ′（＝Ａ′−Ｂ′）より大きく（ａ＞ａ′）なっている。
【００１３】
このため、スタッキング容器の上にＳＮコンテナを安定して積み重ねられるようにするため、ＳＮコンテナの下部外寸Ｃとスタッキング容器の下部外寸Ｃ′とを等しく（Ｃ＝Ｃ′）すると、このＳＮコンテナとこの上に積み重ねられるスタッキング容器との間に（Ａ−Ｃ′＝Ａ−Ｃ）のかなり大きなガタが生じて、この積み重ねが不安定となる。逆に、ＳＮコンテナの上にスタッキング容器を安定して積み重ねられるようにするため、ＳＮコンテナの上部外寸Ａとスタッキング容器の上部外寸Ａ′とを等しく（Ａ＝Ａ′）すると、このＳＮコンテナの下部内寸Ｂが勾配の関係でかなり小さくなって、容器としての有効内寸が減少してしまうばかりでなく、ＳＮコンテナの下部外寸Ｃに余裕がない場合には、これをスタッキング容器上に積み重ねられなくなってしまう。
【００１４】
発明は上記に鑑み、容器本体（ＳＮコンテナ）同志で安定したネスティング及びスタッキングを行うことができ、しかも従来から一般に使用されているスタッキング容器と組み合わせて使用しても、容器としての有効内寸の減少を伴うことなく、大きなガタの発生をなくして安定した積み重ねを行うことができるようにしたものを提供することを目的とする。
【００１５】
【課題を解決するための手段】
上記目的を達成するため、本発明に係る運搬用容器とスタッキング容器との組み合わせは、
運搬用容器とスタッキング容器との組み合わせであって、
前記運搬用容器は、
容器本体２１と、
前記容器本体２１の開口縁に設けられたフランジ部７と、
前記容器本体２１の側壁部３、４、５、６の外面下部に形成された支脚部８、９、１２、１４と、
前記容器本体２１の側壁部３、４、５、６の内面上部に、前記支脚部８、９、１２、１４とそれぞれ点対称位置に形成されたポケット部１０、１１、１３、１５と、
前記フランジ部７の内周縁側に、フランジ部７の全周に亘って、矩形枠状に連続して形成され、立上り面２２ｂと平坦面２２ａとからなる横断面鉤状の一段下がった段部２２とを備え、
前記容器本体２１を一方の向きで重ね合わせた時に、上位の容器本体２１の支脚部８、９、１２、１４が、下位の容器本体２１のフランジ部７の段部の平坦面２２ａ上に位置するとともに、
前記立上り面２２ｂが、支脚部８、９、１２、１４の外周囲を囲繞して、スタッキング状態となるように構成されるとともに、
前記容器本体２１を他方の向きで重ね合わせた時に、上位の容器本体２１の支脚部８、９、１２、１４が、下位の容器本体２１のポケット部１０、１１、１３、１５内に没入して、ネスティング状態となるように構成した運搬用容器であり、
前記スタッキング容器は、
開口端側に上部フランジ部３１を、底部側に下部フランジ部３２をそれぞれ有し、
その側壁部の勾配が、前記運搬用容器の容器本体２１の側壁部部３、４、５、６の勾配と相違し、
前記運搬用容器の容器本体２１の下端形状とほぼ同じ形状を有し、
下部外寸Ｃ’が、前記運搬用容器の容器本体２１の下部外寸Ｃに等しく設定され、
重ね合わせた時に、上方に位置するスタッキング容器３０の下部フランジ部３２の下部２２ｃを、下方に位置するスタッキング容器３０の上端開口部内に入り込ませ、下位のスタッキング容器３０の上部フランジ部３１の上に、上位のスタッキング容器３０の下部フランジ部３２を位置させることによって、スタッキング状態とするように構成したスタッキング容器３０であり、
前記運搬用容器の容器本体２１上に、スタッキング容器３０を積み重ねる時に、運搬用容器の容器本体２１の上端開口部内に、スタッキング容器３０の下部が嵌入して、
運搬用容器の容器本体２１のフランジ部７に設けた段部２２の平坦面２２ａ上に、スタッキング容器３０の下部フランジ部３２が位置するとともに、
前記スタッキング容器３０の下部フランジ部３２の外周囲を段部２２の立上り面で囲繞するように構成したことを特徴とする。
【００１６】
【作用】
上記のように構成した本発明によれば、容器本体の下端形状とほぼ同じ形状を有する従来の一般的なスタッキング容器と組み合わせて使用することにより、容器本体の有効内寸が減少してしまうことを防止しつつスタッキング容器の上に容器本体を積み重ね、しかも、運搬用容器の容器本体２１上に、スタッキング容器３０を積み重ねる時には、運搬用容器の容器本体２１の上端開口部内に、スタッキング容器３０の下部が嵌入して、運搬用容器の容器本体２１のフランジ部７に設けた段部２２の平坦面２２ａ上に、スタッキング容器３０の下部フランジ部３２が位置するとともに、前記スタッキング容器３０の下部フランジ部３２の外周囲を段部２２の立上り面で囲繞することで、大きなガタの発生を防止して、安定した積み重ねを行うことができる。
【００１７】
【実施例】
以下、本発明の実施例を図１〜図５を参照して説明する。なお、上記図６に示す従来例と同一部分には、同一符号を付してその説明を省略する。
【００１８】
即ち、本実施例の上記従来例と異なる点は、以下の通りである。
本実施例において、運搬用容器（ＳＮコンテナ）の容器本体２１は、例えばポリプロピレンやポリエチレン等の合成樹脂からなり、底板部２と、この底板部２の周縁部から立設される四側壁部３，４，５，６とから上方に向け徐々に拡がって開口する箱形に形成され、各側壁部３，４，５，６の上端開口縁に一体に連接されたフランジ部７の内周縁側には、平坦面２２ａと立上り面２２ｂとからなる横断面鉤状の一段下がった段部２２が矩形枠状に連続して設けられている。この段部２２は、ここに容器本体２１の下端部を嵌入させることができる大きさに設定されている。
【００１９】
即ち、容器本体２１，２１同志をスタッキング状態にする時には、２つの容器本体２１，２１を同一の向きで上下方向に重ね合せるのであるが、この時、上方に位置する容器本体２１の各側壁部３，４，５，６の外面下部に形成した各支脚部８，９，１２，１４の下端面は、下方に位置する容器本体２１のフランジ部７に設けた段部２２の平坦面２２ａの上面に当接し、立上り面２２ｂが各支脚部８，９，１２，１４の下端部の外周囲を囲繞してスタッキング状態となるようになっている。
【００２０】
なお、図４は、フランジ部７に設けた段部２２の平坦面２２ａの上面に支脚部８を当接させた状態を示しているが、他も同様である。
この実施例では、このスタッキング状態を、長手方向及び短手方向の双方からのスライド方式によって行うことができる。例えば、下方に位置する容器本体２１の段部２２の平坦面２２ａの上面に、上方に積み重ねる容器本体２１の長手方向一端側の支脚部８，９を一旦載せておき、この状態で立上り面２２ｂを案内として支脚部８，９を滑らせつつ、容器本体２１を長手方向に沿ってスライドさせることによって、スタッキング状態にすることができる。
【００２１】
そして、各ポケット部１０，１１，１３，１５は、その上端が前記段部２２の平坦面２２ａ内で開口し、これによって、ネフティングが容易に行えるようなされている。
【００２２】
即ち、容器本体２１，２１同志をネスティング状態にする時には、２つの容器本体２１，２１を互いに異なる向きにして上下方向に重ね合せるのであるが、この時、段部２２内を案内として、この内部に上位に位置する容器本体２１の下端部を嵌入させる。すると、容器本体２１の各側壁部３，４，５，６の外面下部に形成した各支脚部８，９，１２，１４は、下方に位置する容器本体２１の各側壁部３，４，５，６の内面上部に形成した各ポケット部１０，１１，１３，１５にほぼ対応する位置に位置し、僅かにずらすことによって、支脚部８をポケット部１０内に、支脚部９をポケット部１１内に、支脚部１２をポケット部１３内に，支脚部１４をポケット部１５内にそれぞれ没入させて、ネスティング状態とすることができる。
【００２３】
なお、図５は、支脚部８をポケット部１０内に没入させた状態を示しているが、他も同様である。
次に、上記構成の容器本体２１と従来から一般に使用されているスタッキングタイプの容器（スタッキング容器）とを組み合わせて使用する場合について説明する。
【００２４】
ここで使用されるスタッキング容器３０は、開口端側に上部フランジ部３１を、底部側に下部フランジ部３２をそれぞれ有し、上方に位置するスタッキング容器３０の下部フランジ部３２の下部を下方に位置するスタッキング容器３０の上端開口部内に入り込ませ、下位のスタッキング容器３０の上部フランジ部３１の上に上位のスタッキング容器３０の下部フランジ部３２を位置させることによって、スタッキングするようにしたものである。
【００２５】
ここに、前記容器本体２１は、スタッキング容器３０とほぼ同じ下部形状を有して、有効内寸が減少してしまうことがないよう、即ち図７における下部内寸Ｃ＝Ｃ′に設定されている。
【００２６】
これにより、スタッキング容器３０の上に容器本体２１を積み重ねる時には、通常のスタッキング容器同志の場合とほぼ同様に、図５に示すように、スタッキング容器３０の上端開口部内に容器本体２１の下部が嵌入して、スタッキング容器３０の上部フランジ部３１の上に容器本体２１の各支脚部８，９，１２，１４が位置する。
そして、容器本体２１の上にスタッキング容器３０を積み重ねる時には、図４に示すように、容器本体２１の上端開口部内にスタッキング容器３０の下部が入り込み、容器本体２１に設けた段部２２の平坦面２２ａの上にスタッキング容器３０の下部フランジ部３２が位置し、しかもこの下部フランジ部３２の外周囲を段部２２の立上り面で囲繞することで、両者２１，３０の間にガタが発生しないようになっている。
【００２７】
即ち、この時、側壁部の勾配の関係で、容器本体２１の上部内周面とスタッキング容器３０の下部外周面との間にかなり大きな隙間が生じることになるが、ここに大きな隙間が生じても、スタッキング容器３０の下部フランジ部３２の周囲を僅かな嵌合隙間を持って容器本体２１の段部２２の立上り面２２ｂで囲繞することによって、大きなガタの発生を防止して、積み重ねた際の安定性を確保することができる。
【００２８】
この実施例の場合、容器本体２１の上にスタッキング容器３０を積み重ねる場合、及びその逆の場合においても、前述と同様に、スライド方式によってこれを行うことができる。例えば、容器本体２１の上にスタッキング容器３０を積み重ねる場合には、容器本体２１の段部２２の平坦面２２ａの上面にスタッキング容器３０の下部フランジ部３２の端部を一旦載せておき、この状態で立上り面２２ｂを案内として下部フランジ部３２を滑らせつつ、スタッキング容器３０をスライドさせる。逆に、スタッキング容器３０の上に容器本体２１を積み重ねる場合には、スタッキング容器３０の上部フランジ部３１の上に容器本体２１の例えば長手方向一端部側の支脚部８，９を一旦載せておき、この状態で立上り面２２ｂを案内として支脚部８，９を滑らせつつ、容器本体２１を長手方向に沿ってスライドさせることによって、この積み重ねを行うことができる。
【００２９】
なお、上記実施例は、容器本体を同一向きに重ね合わせた時にスタッキング状態に、異なる向きで重ね合わせた時にネスティング状態になるようにした例を示しているが、容器本体を同一向きに重ね合わせた時にネスティング状態に、異なる向きで重ね合わせた時にスタッキング状態になるようにしたもの、更にはスライド方式を採用しないものにも適用できることは勿論である。
【００３０】
【発明の効果】
本発明は上記のような構成であるので、容器本体同志で安定したネスティング及びスタッキングを行うことができ、しかも容器本体の下端形状とほぼ同じ形状を有する従来の一般的なスタッキング容器と組み合わせて使用することにより、容器本体の有効内寸が減少してしまうことを防止しつつ、大きなガタの発生を防止して、安定した積み重ねを行うことができる。このため、従来のスタッキング容器からＳＮコンテナの切り替えを連続的に行うことができる。
【図面の簡単な説明】
【図１】本発明の一実施例を示す斜視図である。
【図２】同じく、平面図である。
【図３】図２のＡ−Ａ線断面図である。
【図４】容器本体同志をスタッキングさせ、その上にスタッキング容器を積み重ねた状態を示す要部断面図である。
【図５】容器本体同志をネスティングさせ、これをスタッキング容器の上に積み重ねた状態を示す要部断面図である。
【図６】従来例を示す斜視図である。
【図７】ＳＮコンテナとスタッキング容器の側壁部の形状の違いの説明に付する断面図である。
【符号の説明】
３，４，５，６  側壁部
７  フランジ部
８，９，１２，１４  支脚部
１０，１１，１３，１５  ポケット部
２１  容器本体
２２  段部
２２ａ  平坦面
２２ｂ  立上り面
３０  スタッキング容器
３１  上部フランジ部
３２  下部フランジ部
【図１】
0003641486.tif 000002
【図２】
0003641486.tif 000003
【図３】
0003641486.tif 000004
【図４】
0003641486.tif 000005
【図５】
0003641486.tif 000006
【図６】
0003641486.tif 000007
【図７】
0003641486.tif 000008